(57)【要約】  本発明は、ティーバッグの糸をティーポットの取っ手に固定するタグに関し、該タグは可撓性かつ弾性であり、タグから部分的に分離可能な切断部により分離された少なくとも2つの隣接領域を含む。
2021502137.tif 000002
【特許請求の範囲】
【請求項１】
ティーバッグ(10)の糸(9)をティーポットの取っ手に固定するタグ(1)であって、前記タグは可撓性かつ弾性であり、前記タグ(1)から部分的に分離可能な切断部(4)により分離された少なくとも2つの隣接領域(2、3)を含み、前記2つの隣接領域(2、3)はどちらも、前記タグ(1)の外縁部(5)の内側に配置されている、タグ。
【請求項２】
前記隣接領域は、矩形であり、互いに対向して最も遠いそれらの縁部(6)により前記タグに接続されている、請求項1に記載のタグ。
【請求項３】
前記隣接領域は、前記タグの最長寸法で伸びている2つの長手方向切込み(7)、および2つの長手方向切込みを接続する1つの切断線(4)により画定されている、請求項1または2に記載のタグ。
【請求項４】
前記隣接領域は、H形切断により画定されている、請求項3に記載のタグ。
【請求項５】
前記タグは矩形である、請求項1から4のいずれか一項に記載のタグ。
【請求項６】
前記タグの長さは4cmと7cmの間であり、幅は1cmと3cmの間である、請求項5に記載のタグ。
【請求項７】
前記タグは弾性被覆、弾性を与える被覆、弾性層を含むか、または前記タグは弾性材料で作製されている、請求項1から6のいずれか一項に記載のタグ。
【請求項８】
前記タグはプラスチック被覆、ボール紙層およびプラスチック層を含むか、または前記タグはプラスチックで作製されている、請求項1から7のいずれか一項に記載のタグ。
【請求項９】
前記プラスチックがポリエチレン、ポリプロピレン、ポリ乳酸のうちの1つまたは複数を含む、請求項8に記載のタグ。
【請求項１０】
前記タグは、前記2つの隣接領域(2、3)間の切断部(4)と一直線になって前記タグに亘って延びる折り線(8)を含む、請求項1から9のいずれか一項に記載のタグ。
【請求項１１】
前記タグは前記糸(9)に繋がれている、請求項1から10のいずれか一項に記載のタグ。
【請求項１２】
前記糸は前記ティーバッグ(10)に繋がれている、請求項11に記載のタグ。
【請求項１３】
前記糸は、前記タグと前記ティーバッグとの間で測定される、10cmと25cmの間の、好ましくは12cmと20cmの間の長さを有する、請求項11または12に記載のタグ。
【請求項１４】
請求項1から13のいずれか一項に記載のタグを容器の取っ手に接続する方法であって、
a)前記タグを指の間に鋏み、それにより領域(2、3)が前記タグから分離することを可能にするステップと、
b)前記分離した領域(2、3)を前記取っ手を覆って配置するステップと、
c)前記指の挟みを解除し、それにより前記タグがその元の構成に向かって解放されることを可能にするステップと、
を含み、それにより前記タグを前記取っ手に繋げる、方法。
【発明の詳細な説明】
【技術分野】
【０００１】
本発明はティーバッグ用のタグに関する。
【背景技術】
【０００２】
お茶を入れるためのティーバッグの使用は日常的なことである。ティーバッグは、茶葉が1ポットまたは1カップなどの一単位に調節された適量に分けられるという、ばらの茶葉の使用を凌ぐ利点をもたらす。煎出後の茶葉の除去が便利であり、煎出の過程は所望のレベルに達した時に止められることが可能である。
【０００３】
ティーバッグは、糸に繋がれていることが多く、その糸にタグが取り付けられる。タグとティーバッグとの間に糸がないティーバッグはなく、このことにより、特に片手で行わなければならない場合、ティーポットの蓋が正しく閉まらず、水漏れが起こり、見た目が汚く、ポットへの取付けおよびそこからの除去が困難であるという実用上の厄介な問題がもたらされる。糸は、ティーバッグが湯の中で旋回することを可能にし、それにより煎出過程を向上させる。また、糸は、ポットの全容積に亘って煎出過程が起こることを可能にし、このことは、煎出の所望のエンドポイントの根拠の助けとなる。繋がれたタグは、茶の銘柄、茶の種類、付加フレーバ、推奨される煎出時間等に関する情報を提供してもよく、したがって2次元平坦構造の状態であることが多い。タグの別の機能は、糸をカップまたはティーポットに取り付けることを助けることである。これが望ましいのは、湯がカップまたはポット内に注がれると、タグは、カップまたはポット内へ引き込まれ、例えば煎出過程を止める時間が来た時に得られる飲料から指で除去されることを必要とするからである。これは、様々な理由で、痛みを伴う経験でないにしても不愉快である可能性がある。タグが飲料の中に引き込まれるリスクは、ティーポットが使用される場合により起こりやすい。なぜなら、より長い時間の間に大容積中に注ぎ込まれる水の力が、カップが満たされている状況に比べてより強いからである。
【０００４】
ティーバッグに繋がれた糸をマグカップまたはポットの取っ手に固定することには、タグを含む糸の端部を、取っ手の周囲で1回または複数回旋回させ、それに続き、最善の安全のために結び目を適切につけることが含まれる場合が多い。この最初の安心にも関わらず、ティーバッグが除去され、皿へ移される必要がある時に、このシナリオを逆行する必要があるが、糸が濡れておりかつ結び目が見えないという厄介な問題がある。
【０００５】
レストランの状況においてお茶が入れられる時、これらの小さい不都合がより重大な問題になることが想像され得る。これは、個々の客がティーバッグを使用して自身のポットまたはカップのお茶を入れる状況で、およびウェイターがお茶の入ったポットまたはテーブルで除去される可能性があるより多くのティーバッグを持って来る場合に当てはまる。
【０００６】
特許文献１が、ティーバッグへの糸と繋ぐことができるティーバッグタグを開示している。
【０００７】
特許文献２が、全般的に、ティーバッグおよび同様の煎出パッケージ用の回収手段の端部に配置されている把持手段に関する。
【０００８】
特許文献３が、可撓性ストリップにより補強されているヘッド部分を有する多孔質壁付容器を含む、お茶などの煎出可能な物質用の煎出バッグに関する。
【０００９】
特許文献４が、缶もしくはカップの周縁部または取っ手に取り付けられるように設計されているティーバッグタグを開示している。
【先行技術文献】
【特許文献】
【００１０】
【特許文献１】米国特許第2,879,613号
【特許文献２】米国特許第4,880,110号
【特許文献３】米国特許第3,899,599号
【特許文献４】独国実用新案第29806279(U1)号
【発明の概要】
【発明が解決しようとする課題】
【００１１】
好ましくは片手で繋ぎかつ外すのに便利な、ティーバッグの糸をティーカップまたは特にティーポットの取っ手に取り付けるための解決策を提供するという所望が、当該技術分野に存在する。
【課題を解決するための手段】
【００１２】
驚くことに、この解決策は、請求項1に記載のタグにより提供される。
【００１３】
さらなる態様では、本発明は、本発明によるティーバッグタグを容器の取っ手に取り付ける方法に関する。
【図面の簡単な説明】
【００１４】
【図１】本発明によるタグを示す。
【図２】本発明のタグを容器に取り付ける方法を示す。
【発明を実施するための形態】
【００１５】
本発明はティーバッグ用のタグに関する。該タグは可撓性材料から作製されている。ティーポットの取っ手との解除可能な繋ぎを実現するために、タグは、切断部(4)により互いに分離される少なくとも2つの領域(2、3)を含む。該隣接領域(2、3)は、領域(2、3)を取り囲むタグの一部により枠部(5)が形成されているように、タグの内側に配置されている。このようにして、2つの隣接領域(2、3)はどちらも、タグ(1)の外縁部または枠部(5)の内側に配置されている。詳細には、タグが平面上に配置されておりかつ平坦に保たれている場合(図1参照)、2つの隣接領域(2、3)はどちらも、タグ(1)の枠部(5)の内側に配置されている。枠部(5)は、次いで、切断部により中断されない。この構造は、好ましくは互いに平行な、タグの最長寸法で伸びている2つの長手方向切込み(7)、および該2つの長手方向切込みを繋ぎ、好ましくはそれらを垂直に繋ぐかまたは交わる1つの切断線(4)により領域(2、3)が画定されている場合に実現されることが好ましい。該切断線(4)の長さは、好ましくは2cmと0.4cmの間、より好ましくは12mmと8mmの間である。切断線(4)は切込み(7)間の距離に等しい長さを有することが好ましい。これは、タグ内にH形切断が施された場合に最良に実現され、該Hの脚部はタグの最長寸法(長さ)で伸びている。この切込み(7)は、好ましくは4cmと1.5cmの間、より好ましくは1.5cmと2.5cmの間である。隣接領域(2、3)は矩形であり、互いに対向して最も遠いそれらの縁部(6)によりタグに接続されていることが好ましい。
【００１６】
タグの形状は矩形であることが好ましい。このことは、タグが片手で取り扱われることを可能にするのに最適な構造をもたらす。タグの大きさは、それに折り目を付ける必要なくティーバッグのパッケージング内に収まるようになっていることが好ましい。この目的のために、タグの長さはティーバッグの長さ以下であることが好ましい。該長さ(最長寸法)は、好ましくは4cmと7cmの間、より好ましくは5cmと6.5cmの間である。ティーバッグは矩形であることが好ましい。タグの長さが長くなり過ぎた場合、タグが片手で適正に取り扱われることが不可能である。さらに、タグをティーポットの取っ手上に維持するのに必要な強度は、タグの長さに関連し、サイズが大きくなると共に低下する。タグの幅(短い寸法)は、好ましくは1cmと3cmの間、より好ましくは1.5cmと2.5cmの間である。
【００１７】
隣接領域(2、3)はタグから部分的に分離可能である。この方法では、隣接領域(2、3)はタグの表面から外向きに曲がる。隣接領域はそれらの各基部(6)においてタグに接続されたままである。タグからの部分的分離が、例えばタグを親指と人指し指との間に挟むことにより実現される。図2のステップ1を参照すると、タグが挟まれると、タグの枠部はユーザの手に向かって(内側に)引き寄せられる一方、タグの隣接領域(2、3)および中心領域(折り線の位置)はユーザの手から離れて(外向きに)動く。この場合の隣接領域(2、3)は、もはやタグ(1)の枠部(5)の表面と同じ平面にない。このようにして、隣接領域(2、3)はタグから分離し、タグを「開き」、ティーポットの取っ手を把持する嘴状のものを形成する(図2のステップ2およびステップ3)。
【００１８】
本発明によるタグは弾性である。タグの弾性特性を向上させるために、タグは、弾性であるかまたはタグに弾性を与える材料を含むことが好ましい。タグは、弾性のもしくは弾性を与える被覆、弾性層を含むか、または弾性材料から用意されることが好ましい。弾性被覆(もしくは弾性を与える被覆)または弾性材料は、ユーザがタグを挟んだ時に開かれ、タグ内のそれらの元の位置に向かって戻るタグおよび隣接領域(2、3)を最適にもたらし、それによりティーポットの取っ手上で挟むタグを実現する。タグはプラスチック被覆、プラスチック層を含むか、またはプラスチックから用意されることが好ましい。プラスチックは当業者に知られており、ポリエチレン、ポリプロピレン、ポリ乳酸のうちの1つまたは複数を含むことが好ましく、該1つまたは複数で構成されていることがより好ましい。プラスチック層またはプラスチック被覆に加えて、ボール紙などの紙層が好適である可能性がある。プラスチック/紙積層が好適である。好適な積層構造がPLA/紙/PPである。紙層が、銘柄またはユーザに通信される情報を印刷されるのに便利である。好ましくはプラスチック被覆などの弾性被覆を含む、タグ、好ましくは紙またはボール紙タグが最も好適である。この場合のタグは、弾性を与える被覆の反発力を必要とする。タグ上の情報が、お茶の種類、滲出時間、またはティータグの使用方法に関連する可能性があると考えられる。ティータグの機能性をさらに促進するために、タグは、2つの隣接領域(2、3)間の切断部(4)と一直線になってタグに亘って伸びている折り線(8)を含むことが好ましい。該折り線は、タグが指の間に挟まれた時にタグが折り線により促進される方向に逆らって折り曲がるように設けられている。ティーポットの握り部に取り付けられると、折り線は、ティーポットの取っ手から離れる折り線領域の動き(例えば、傾斜)および僅かに互いに向かうタグの短い外縁部の動きの発生により、ティーポットの取っ手の周囲でのタグの挟みを強化し、それにより隣接領域(2、3)をティーポットの取っ手に押し付ける。
【００１９】
本発明のタグは糸(9)に繋がれていることが好ましい。そのような糸はティーバッグ(10)に繋がれていることが好ましい。本発明のタグがティーポットの取っ手へのタグの適正な取付けを実現し、それによりティーバッグを糸を介してティーポットの取っ手に間接的に繋げ、最適な煎出のためにティーバッグがポット内で旋回することを可能にすることが、本発明の利点である。糸は、タグとバッグの間で測定される、好ましくは10cmと25cmの間、より好ましくは12cmと20cmの間の長さを有する。ティーバッグは「ハンドバッグ形」であることが好ましく、ティーバッグは、煎出可能な材料で満たされたかつ糸も接続されているそれらの最上部で互いに接続されている矩形の区画を含む。「ピラミッド形」を用いることができるが、それはタグの適正なパッケージングを妨げる可能性があると考えられるので、それほど好ましくない。該ハンドバッグ構造は、タグがティーバッグと位置合わせされて配置されることを可能にする。ティーバッグはお茶を含むことが好ましいが、当該技術分野で知られている通り、ハーブまたは他の野菜材料を含んでいてもよい。カップ用などの1回限りのバッグでは、ミント、ペパーミント、またはカモミールなどの、お茶以外の煎出材料量は好ましくは1.5グラムから3.5グラムまでに及ぶ可能性があることが好ましい一方、お茶では1.5グラムから3グラムまで、好ましくは2グラムから2.7グラムまでが好適である。ティーポット用のバッグが煎出可能な材料の好ましくは3グラムから7グラムまでを含み、特に煎出可能な材料がお茶である場合、4グラムから6グラムまでが好適である可能性がある。
【００２０】
さらなる態様では、本発明は、本発明によるタグを容器の取っ手に繋ぐ方法に関する。容器がティーポットであることが好ましいが、カップであってもよい。本方法は:
a)指の間にタグを挟み、それにより隣接領域(2、3)がタグから分離することを可能にするステップであり、挟むことにより、タグの中心(折り線)および領域(2、3)はユーザから離れて動くことを可能にされ、隣接領域(2、3)はタグから分離する、ステップと、
b)分離された領域(2、3)を取っ手を覆って配置するステップと、
c)指の挟みを解除し、それによりタグがその元の構造に向かって解放されることを可能にするステップと
を含む。
【００２１】
本発明は、片手で実施され得るという利点をもたらす、ティーバッグをティーポットに取り付ける新規の簡単な方法を提供する。既存の構造における糸またはそれに繋がれているタグを結ぶことおよびいじり回すことが不要である。取っ手からタグを外すことが片手で実施されることが可能であり、結び目またはもつれが不要であるので、これは容易に行われる。最も好適な構造である、タグがティーバッグと繋がれた場合、タグの寸法、およびタグがポットの取っ手を挟む方法は、ポット内でのティーバッグの自由な旋回を可能にする。発明者は、これらの利点をもたらしかつこの洗練された方法で当該技術分野における特定の問題を克服する、当該技術分野の任意のデバイスを全く知らない。
【００２２】
本発明は、ここで、以下の非制限的例により実証される。
(実施例)
【００２３】
本発明は図1を参照して示される。図1は本発明によるタグ(1)を示し、該タグは糸(9)に繋がれており、それによりお茶で満たされたティーバッグ(10)をティーバッグタグと繋げる。タグは、枠部または外側領域(5)により取り囲まれている、切断部(4)により互いに分離されている2つの隣接領域(2)および(3)を含む。該領域(2)および(3)は、それらがH形切断(7)により切断されているがそれらの各基部(6)において接続されているので、タグから部分的に分離可能である。タグがポットの取っ手に取り付けられる時、折り線(8)がタグの折畳みを反対方向(下向き)に導く。これは、ポットの取っ手上でのタグの挟み力を増大させる。図1では、ティーバッグ(10)は単に参照目的で示されており、その形状および寸法は最終的なティーバッグ形状を表していない可能性があり、このことは糸(9)がティーバッグ(10)に繋がれている位置に関しても適用される。
【００２４】
図2は、本発明のタグを容器、この場合にはティーポットの取っ手に取り付ける方法を示す。ステップ1では、外(短い)側部が、ユーザの手の方向に互いに向かって挟まれる。結果として、タグの中心領域(折り線8)および隣接領域(2、3)はユーザの手から離れて動き、該領域(2、3)はタグから分離する。ステップ2において、これは容器の取っ手上でのタグの位置決めを可能にする。ステップ3において、手の挟みは解除され、その弾性特性に因り、タグはその元の構造に戻ることが可能にされ、このようにして挟みを実現する。折り線(8)がタグを容器の取っ手から若干離して傾斜させるので、挟み力は折り線(8)の存在により増大される。
【符号の説明】
【００２５】
1  タグ
2、3  隣接領域
4  切断部、切断線
5  外縁部、枠部、外側領域
6  (隣接領域(2、3)の)縁部、基部
7  長手方向切込み、H形切断
8  折り線
9  糸
10  ティーバッグ
【図１】
2021502137.tif 000003
【図２】
2021502137.tif 000004
【国際調査報告】
2021502137.tif 000005
2021502137.tif 000006